(57)【要約】【課題】ダブルロック機能を備えたバックルにおいて、この状態を容易に作出できるようにする。【解決手段】バックル雄具Ｍの差し込み部６は、バックル雌具Ｆ内に第一位置まで差し込まれたときに弾発してこのバックル雌具Ｆの被掛合部１ｎに掛合される弾性掛合片６ａを備えている。バックル雌具Ｆは、ロック位置において前記掛合を解く向きのバックル雄具Ｍの弾性掛合片６ａの弾性変形を阻止するロック部材２を、このロック位置と非ロック位置とに亘る移動可能に備えていると共に、ロック部材２をロック位置に向けて付勢する付勢手段３の付勢に抗してこのロック部材２を非ロック位置に保持する保持手段１ｂを備えている。第一位置にあるバックル雄具Ｍの差し込み部６をそれより奥の第二位置までバックル雌具Ｆ内に差し込み操作したときに保持手段１ｂによるロック部材２の保持が解除されるようになっている。【選択図】図４
2010273942.tif 000002
【特許請求の範囲】
【請求項１】
バックル雌具と、このバックル雌具への差し込み部を備えたバックル雄具とからなるバックルであって、
バックル雄具の差し込み部は、バックル雌具内に第一位置まで差し込まれたときに弾発してこのバックル雌具の被掛合部に掛合される弾性掛合片を備えており、
バックル雌具は、ロック位置において前記掛合を解く向きのバックル雄具の弾性掛合片の弾性変形を阻止するロック部材を、このロック位置と非ロック位置とに亘る移動可能に備えていると共に、
このロック部材をロック位置に向けて付勢する付勢手段の付勢に抗してこのロック部材を非ロック位置に保持する保持手段を備えており、
前記第一位置にあるバックル雄具の差し込み部をそれより奥の第二位置までバックル雌具内に差し込み操作したときに保持手段によるロック部材の保持が解除されるようになっていることを特徴とするバックル。
【請求項２】
バックル雌具は、ロック位置にあるロック部材を非ロック位置に移動操作可能とする操作部材を備えていることを特徴とする請求項１に記載のバックル。
【請求項３】
保持手段は、第二位置へのバックル雄具の差し込み操作によってこのバックル雄具の一部に当接されて弾性変形してロック部材の保持を解除する弾性片であることを特徴とする請求項１又は請求項２に記載のバックル。
【請求項４】
保持を解かれてロック位置に移動されるロック部材がバックル雄具の差し込み部の一部に突き当たってこの差し込み部が第一位置まで移動され、
この状態からの操作部材の操作によるロック部材の非ロック位置への移動が弾性片の弾性変形により許容されると共に、ロック部材が非ロック位置に至ったときに弾性片が弾性復帰されてこの非ロック位置でのロック部材の保持がなされるようになっていることを特徴とする請求項３に記載のバックル。
【発明の詳細な説明】
【技術分野】
【０００１】
この発明は、バックル雌具と、このバックル雌具への差し込み部を備えたバックル雄具とからなり、両者を分離させた状態からこの差し込み部をバックル雌具内に所定位置まで差し込むことにより、両者を掛合により連結させて、バックル雌具側に取り付けなどされた部材とバックル雄具側に取り付けなどされた部材とを接続させ合わせるバックルの改良に関する。
【背景技術】
【０００２】
筒状の雌部材と、これに一部を差し込み組み合わされる雄部材とからなるバックルにおいて、両者の連結状態を簡単には解除できないようにしたものがある。（特許文献１参照）この特許文献１のバックルにあっては、雌部材にロック部材が備えられている。雌部材と雄部材とは雌部材のスロットに雄部材の可撓アームが両者の組み合わせ時に弾発して掛合されることで連結される。この連結状態からロック部材のロック部をロック位置に移動操作すると、このロック部により前記掛合を解く位置への可撓アームの撓み込みが阻止されるようになっている。（いわゆるダブルロック）しかるに、この特許文献１のバックルでは、かかるダブルロック状態を作り出すためには、雌部材への雄部材の一部の差し込み後に、さらに前記ロック部材の移動操作を要していた。
【先行技術文献】
【特許文献】
【０００３】
【特許文献１】特許第３００７１６７号公報
【発明の概要】
【発明が解決しようとする課題】
【０００４】
この発明が解決しようとする主たる問題点は、この種のダブルロック機能を備えたバックルにおいて、この状態を容易に作出できるようにする点にある。
【課題を解決するための手段】
【０００５】
前記課題を達成するために、この発明にあっては、バックルを、以下の（１）〜（５）の構成を備えたものとした。
（１）バックル雌具と、このバックル雌具への差し込み部を備えたバックル雄具とからなるバックルであって、
（２）バックル雄具の差し込み部は、バックル雌具内に第一位置まで差し込まれたときに弾発してこのバックル雌具の被掛合部に掛合される弾性掛合片を備えており、
（３）バックル雌具は、ロック位置において前記掛合を解く向きのバックル雄具の弾性掛合片の弾性変形を阻止するロック部材を、このロック位置と非ロック位置とに亘る移動可能に備えていると共に、
（４）このロック部材をロック位置に向けて付勢する付勢手段の付勢に抗してこのロック部材を非ロック位置に保持する保持手段を備えており、
（５）前記第一位置にあるバックル雄具の差し込み部をそれより奥の第二位置までバックル雌具内に差し込み操作したときに保持手段によるロック部材の保持が解除されるようになっている。
【０００６】
かかる構成によれば、第一に、バックル雄具の差し込み部をバックル雌具内に第一位置まで差し込むことで前記弾性掛合片を被掛合部に掛合させてバックル雌具とバックル雄具とを連結させることができる。また、第二に、この第一位置にあるバックル雄具を前記第二位置までさらに差し込み操作することで、ロック部材の保持を解いて付勢手段の付勢によりロック部材をロック位置に移動させて、このロック部材をこの付勢に抗して非ロック位置に移動操作させない限り、前記連結状態を解除できないようにすることができる。（ダブルロック状態）
【０００７】
前記バックル雌具に、ロック位置にあるロック部材を非ロック位置に移動操作可能とする操作部材を備えさせておけば、この操作部材の操作により前記ダブルロック状態を容易に解除することができる。
【０００８】
前記保持手段を、第二位置へのバックル雄具の差し込み操作によってこのバックル雄具の一部に当接されて弾性変形してロック部材の保持を解除する弾性片とすれば、バックル雌具にかかる保持手段を容易かつ適切に備えさせることができる。
【０００９】
また、前記保持を解かれてロック位置に移動されるロック部材がバックル雄具の差し込み部の一部に突き当たってこの差し込み部が第一位置まで移動され、この状態からの操作部材の操作によるロック部材の非ロック位置への移動が弾性片の弾性変形により許容されると共に、ロック部材が非ロック位置に至ったときに弾性片が弾性復帰されてこの非ロック位置でのロック部材の保持がなされるようにしておけば、操作部材の操作によりロック部材を非ロック位置に移動させることによりロック部材をこの非ロック位置に位置づけて、バックル雄具の弾性掛合片を被掛合部との掛合を解く向きに弾性変形操作できる状態を作り出すことができる。
【発明の効果】
【００１０】
この発明にかかるバックルにあっては、バックル雄具の差し込み部をバックル雌具内に差し込むだけで、前記ダブルロック状態を容易に作出することができる。
【図面の簡単な説明】
【００１１】
【図１】図１はバックルの分解斜視構成図であり、バックルの表面側からこのバックルを見て示している。
【図２】図２はバックルの分解斜視構成図であり、バックルの裏面側からこのバックルを見て示している。
【図３】図３はバックル雄具の差し込み部を第一位置までバックル雌具内に差し込んだ状態をバックルの表面側から見て示した正面図である。
【図４】図４は図３の状態における断面図である。
【図５】図５はバックル雄具の差し込み部を第二位置までバックル雌具内に差し込んだ状態をバックルの表面側から見て示した正面図である。
【図６】図５は図４の状態における断面図である。
【図７】図７はダブルロック状態にあるバックルをその表面側から見て示した正面図である。
【図８】図８は図７の状態における断面図である。
【発明を実施するための形態】
【００１２】
以下、図１〜図８に基づいて、この発明の典型的な実施の形態について説明する。この実施の形態にかかるバックルは、バックル雌具Ｆと、このバックル雌具Ｆへの差し込み部６を備えたバックル雄具Ｍとからなり、両者を分離させた状態からこの差し込み部６をバックル雌具Ｆ内に所定位置まで差し込むことにより、両者を掛合により連結させて、バックル雌具Ｆ側に取り付けなどされた部材とバックル雄具Ｍ側に取り付けなどされた部材とを接続させ合わせるものである。
【００１３】
バックル雄具Ｍは、前記差し込み部６と、前記部材に対する取り付け部７とを備えている。
【００１４】
図示の例では、取り付け部７は、外郭形状を略長方形状とする外枠体７ａと、この外枠体７ａを構成する一対の短辺部間に架設されてこの外枠体７ａの枠内空間を二分割する桟体７ｃとから構成されている。図示の例では、この桟体７ｃによって分割された枠内空間における差し込み部６の形成側に位置される一方に取り付け部７の裏面側から通して表面側に引き出した帯状体Ｔを分割された枠内空間の他方に通して取り付け部７の裏面側に再び引き出すようにすることで、かかる帯状体Ｔを桟体７ｃに掛け回すことができるようになっている。図示の例では、取り付け部７の裏面側に位置される外枠体７ａの縁部７ｂと取り付け部７の表面側に位置される桟体７ｃの縁部７ｄとが前記のように通された帯状体Ｔにテンションが作用されればされるほどこの帯状体Ｔに強く押しつけられるようになっており、これによりバックル雄具Ｍに前記部材としてのかかる帯状体Ｔを取り付け位置調整可能に取り付けることができるようになっている。
【００１５】
一方、差し込み部６は、バックル雌具Ｆ内に第一位置まで入れ込まれたときに弾発してこのバックル雌具Ｆの被掛合部１ｎに掛合される弾性掛合片６ａを備えている。図示の例では、バックル雄具Ｍの差し込み部６は、一対のかかる弾性掛合片６ａ、６ａと、この一対の弾性掛合片６ａ、６ａ間に配された中足体６ｅとから構成されている。
【００１６】
一対の弾性掛合片６ａ、６ａはそれぞれ、前記外枠体７ａの長辺部の一方に片基端を一体に連接させてこの長辺部に直交する向きに突き出す脚状をなすように構成されている。また、一対の弾性掛合片６ａ、６ａの片基端と片先端との間の中間位置からこの片先端までの間であって、他方の弾性掛合片６ａに向き合った内面側と反対の外面側には、膨出部６ｂが形成されていると共に、この膨出部６ｂにより一対の弾性掛合片６ａ、６ａにはそれぞれ片基端側に向いた掛合面６ｃが備えられている。
【００１７】
かかる一対の弾性掛合片６ａ、６ａの片基端間の距離は、バックル雌具Ｆの後述する受け入れ開口１ｋに続く一対の幅狭の壁部１ｊ、１ｊの内面間の距離と略等しいが、かかる一対の弾性掛合片６ａ、６ａの膨出部６ｂ間の距離は、この一対の幅狭の壁部１ｊ、１ｊの内面間の距離よりも大きくなっている。これにより、バックル雄具Ｍの差し込み部６は、バックル雌具Ｆ内に一対の弾性掛合片６ａ、６ａを内向きに撓ませながら受け入れられるようになっている。バックル雌具Ｆにおける前記差し込み部６の差し込み中心線ｘを挟んだ両側にはそれぞれ、受け入れ開口１ｋとの間に距離を開けて一対の弾性掛合片６ａ、６ａに対する被掛合部１ｎが形成されている。かかる被掛合部１ｎはバックル雌具Ｆの幅狭の壁部１ｊの一部と幅広の壁部１ｉの一部とを切除するようにして、このバックル雌具Ｆに前記差し込み中心線ｘに向けて凹み込んだ割り欠き部１ｍを形成させることで形成されている。そして、この割り欠き部１ｍに面した幅狭の壁部１ｊの端面のうち、前記受け入れ開口１ｋ側に位置される端面が前記被掛合部１ｎとして機能するようになっている。これにより、バックル雄具Ｍの差し込み部６は、前記掛合面６ｃを被掛合部１ｎと略同じ位置に位置させる第一位置まで入れ込まれたときに、内向きに撓んだ一対の弾性掛合片６ａ、６ａをそれぞれ弾性復帰、つまり弾発させて、その掛合面６ｃをそれぞれ対応する被掛合部１ｎに掛合させるようになっている。
【００１８】
また、中足体６ｅは、前記弾性掛合片６ａの略半分の長さを持った軸状をなしている。この中足体６ｅは、前記外枠体７ａの長辺部の一方に足基端を一体に連接させて前記弾性掛合片６ａと同じ向きに突き出している。
【００１９】
また、図示の例では、一対の弾性掛合片６ａ、６ａの片基端と片先端との間の中間位置であって、他方の弾性掛合片６ａに向き合った内面側にはそれぞれ、中足体６ｅの足先端６ｆ側に向けて突き出す突出部６ｄが形成されている。
【００２０】
一方、バックル雌具Ｆは、前記部材に対する取り付け部１ａを備えた主体部１に、ロック部材２と、その付勢手段３と、操作部材４とを組み合わせて構成されている。主体部１は扁平筒状をなすように構成され、ロック部材２はこの主体部１内に前記差し込み中心線ｘに沿ったスライド移動可能に納められている。ロック部材２はロック位置において前記掛合を解く向きのバックル雄具Ｍの弾性掛合片６ａの弾性変形を阻止する。付勢手段３は、ロック部材２を前記受け入れ開口１ｋ側に常時付勢するが主体部１にはこのロック部材２の保持手段１ｂが備えられており、この保持手段１ｂによりロック部材２は後述する非ロック位置に保持されるようになっている。この実施の形態にあっては、バックル雌具Ｆは、かかるロック部材２がロック位置にある状態を外部から認識可能とする表示手段１ｇを備えている。
【００２１】
主体部１は筒両端を共に開放させた扁平筒状をなす。すなわち、主体部１は、一対の幅広の壁部１ｉ、１ｉと、一対の幅狭の壁部１ｊ、１ｊとを備えている。一対の幅広の壁部１ｉ、１ｉの一方がバックル雌具Ｆの主体部１の表面１’となり、他方がこの主体部１の裏面１”となる。この主体部１の一方の筒端が、バックル雄具Ｍの差し込み部６を受け入れる受け入れ開口１ｋとなっている。前記被掛合部１ｎを形成させる割り欠き部１ｍによって、主体部１はその筒軸方向中程の位置において内外に連通されている。
【００２２】
一対の幅狭の壁部１ｊ、１ｊの内面間の距離は、受け入れ開口１ｋから被掛合部１ｎまでの間よりも、割り欠き部１ｍと主体部１の他方の筒端との間の方がやや大きくなっている。また、主体部１の筒軸方向において、割り欠き部１ｍは、バックル雄具Ｍの弾性掛合片６ａの片先端から掛合面６ｃまでの距離よりも大きい広さを有している。これにより、バックル雌具Ｆ内に前記第一位置まで差し込み部６を入れ込ませたバックル雄具Ｍを、（図３）それより奥の第二位置までさらに差し込み操作することができるようになっている。（図５）
【００２３】
また、主体部１の筒他端側であって、この主体部１の裏面１”を構成する幅広の壁部１ｉには、前記部材としての帯状体Ｔを通すスロット１ｏが形成されており、図示の例ではこのスロット１ｏがかかる部材の取り付け部１ａとして機能するようになっている。
【００２４】
一方、ロック部材２は、主体部１の一対の割り欠き部１ｍ、１ｍの間において、前記差し込み中心線ｘに沿ったスライド移動可能に、この主体部１に組み合わされている。ロック部材２は、主体部１の幅広の壁部１ｉの内面間に隙間少なく納まる厚さを備えている。具体的には、かかるロック部材２は、箱状部２ａと、腕状部２ｃと、軸状部２ｄとを備えている。箱状部２ａは、バックル雌具Ｆの主体部１の裏面１”側において開放されると共に、受け入れ開口１ｋ側に位置される側部にそれぞれ割り欠き部１ｍ側に向けて突き出す腕状部２ｃを備えている。図示の例では、かかるバックル雌具Ｆの主体部１の裏面１”となる幅広の壁部１ｉの内面には、かかるロック部材２の箱状部２ａを間に挟んで案内する前記差し込み中心線ｘに平行をなす一対の案内リブ１ｐ、１ｐが設けられており、腕状部２ｃの付け根にはこの案内リブ１ｐの通し部２ｅが形成されている。
【００２５】
また、バックル雌具Ｆの主体部１の表面１’となる幅広の壁部１ｉには、前記差し込み中心線ｘに沿って長く続く貫通溝１ｑが形成されている。図示の例では、ロック部材２の箱状部２ａの上面部に、この貫通溝１ｑを通じて主体部１内に入れ込まれる操作部材４の連係脚４ｂのはめ込み穴２ｆが形成されており、主体部１の表面１’に添装される操作部材４を前記差し込み中心線ｘに沿って移動させることで、主体部１内にあるロック部材２を外部から移動操作できるようにしてある。
【００２６】
図示の例では、かかる操作部材４は、主体部１の表面１’に添装されるプレート体４ａと、このプレート体４ａの裏面に設けられて前記貫通溝１ｑを通じてロック部材２の箱状部２ａのはめ込み穴２ｆにはめ込まれる連係脚４ｂとを備えている。図示の例では、操作部材４は、プレート体４ａの裏面であって前記差し込み中心線ｘを挟んだ両側にさらに掛合脚４ｃを備えていると共に、バックル雌具Ｆの主体部１の表面１’となる幅広の壁部１ｉには前記貫通溝１ｑと略同じ長さを持ったこの掛合脚４ｃの受け入れ溝１ｒが設けられている。この掛合脚４ｃの先端には爪が設けられており、この爪によって掛合脚４ｃは弾性変形されながら受け入れ溝１ｒに入れ込まれ、これを差し込みきった位置で弾性復帰してこの爪を主体部１の内側においてこの受け入れ溝１ｒの溝縁に引っかけている。これにより操作部材４は主体部１に組み合わされている。
【００２７】
ロック部材２の前記軸状部２ｄは、その軸一端を箱状部２ａの主体部１の他方の筒端に一体に連接させて、この他方の筒端側に向けて突き出している。図示の例では、このロック部材２と主体部１の他方の筒端との間において、前記差し込み中心線ｘ上に付勢手段３の押さえ部材５が備えられている。図示の例では、かかる押さえ部材５は、主体部１の幅広の壁部１ｉの内面間に密に納まる厚さを有しており、主体部１の他方の筒端側から主体部１内にはめ込まれるようになっている。図中符号１ｓで示されるのは、この押さえ部材５に形成された掛合爪５ｂがかかるはめ込みの過程で弾発により入り込む主体部１の幅広の壁部１ｉに形成された掛合孔である。
【００２８】
この実施の形態にあっては、主体部１に前記のように組み合わされたロック部材２の箱状部２ａと、かかる押さえ部材５との間に、圧縮コイルバネ３ａを介装させている。図示の例では、かかる箱状部２ａの軸状部２ｄを圧縮コイルバネ３ａのバネ一端側に入れ込ませると共に、押さえ部材５の内部に設けられた軸状部をこの圧縮コイルバネ３ａのバネ他端側に入れ込ませることで、この圧縮コイルバネ３ａによってロック部材２が前記受け入れ口側に向けて常時付勢されるようにしている。すなわち図示の例では、かかる圧縮コイルバネ３ａが前記付勢手段３として機能している。
【００２９】
また、前記保持手段１ｂは、この実施の形態にあっては、バックル雌具Ｆの主体部１の裏面１”を構成する幅広の壁部１ｉに形成されている。図示の例では、かかる保持手段１ｂは、かかる幅広の壁部１ｉの一部を、割溝１ｄにより他の部分と区分して構成された、弾性片１ｃとして構成されている。図示の例では、かかる弾性片１ｃは、受け入れ開口１ｋ側に片基部を位置させて前記差し込み中心線ｘに沿って延び、片先端を一対の割り欠き部１ｍ、１ｍの間に位置させている。図示の例では、この差し込み中心線ｘに平行に延びる一対の割溝１ｄと、この一対の割溝１ｄにおける受け入れ開口１ｋから離れた側に位置される溝端間に亘る割溝１ｄとにより、前記幅広の壁部１ｉの一部から弾性片１ｃを形成させている。
【００３０】
この弾性片１ｃの片先端には、主体部１の内方に突き出す凸部１ｅが形成されている。この凸部１ｅは、受け入れ開口１ｋに向けられた側を、この凸部１ｅの頂部に向かうに連れて次第にこの凸部１ｅを細める向きに傾斜した傾斜面１ｆとしている。
【００３１】
バックル雄具Ｍの差し込み部６の弾性掛合片６ａは、前記のようにバックル雌具Ｆ内に第一位置まで入れ込まれたときに弾発してこのバックル雌具Ｆの被掛合部１ｎに掛合されるようになっている。このとき、バックル雄具Ｍの中足体６ｅの足先端６ｆは弾性片１ｃの凸部１ｅに接しないようになっている。（図３）一方、ロック部材２は、前記付勢手段３の付勢により、弾性片１ｃの凸部１ｅに差し込み部６の差し込み側と反対の側から突き当てられそれより先への移動が阻止されている。このとき、ロック部材２の腕状部２ｃの先端は弾性掛合片６ａの前記突出部６ｄよりもこの弾性掛合片６ａの片先端側に位置されており、割り欠き部１ｍを利用して弾性掛合片６ａの膨出部６ｂを押圧操作することで前記掛合を解く向きの弾性掛合片６ａの弾性変形をロック部材２は妨げないようになっている。（図３）すなわち、ロック部材２はこれをロック位置に向けて付勢する付勢手段３の付勢に抗して保持手段１ｂとしての弾性片１ｃにより非ロック位置に保持されている。
【００３２】
このように前記第一位置までバックル雌具Ｆ内にバックル雄具Ｍの差し込み部６を入れ込ませた状態から、これより奥の第二位置までバックル雌具Ｆ内に差し込み操作すると、弾性片１ｃの凸部１ｅにバックル雄具Ｍの中足体６ｅの足先端６ｆが当たって弾性片１ｃは外向きに撓み出されるようになっている。（図５）図示の例では、主体部１の裏面１”を構成する幅広の壁部１ｉの外面には、この弾性片１ｃの囲繞リブ１ｔが形成されており、この裏面１”の後方に弾性片１ｃの撓み込みを可能とする空隙が必ず確保されるようになっている。そして、これによりこの弾性片１ｃの凸部１ｅによるロック部材２の前記保持が解かれて前記付勢によりロック部材２はかかる中足体６ｅの足先端６ｆに突き当たる位置まで移動されるようになっている。この状態から、バックル雄具Ｍの差し込み操作を止めると、ロック部材２を介して付勢手段３の付勢によりバックル雄具Ｍは差し込み部６を第一位置に位置させる位置まで押し戻される。（図７）このとき、弾性片１ｃの凸部１ｅは弾性復帰されてロック部材２の箱状部２ａ内に入り込むようになっている。（図７）この状態において、ロック部材２の腕状部２ｃの先端は弾性掛合片６ａの前記突出部６ｄの内方に位置されており、割り欠き部１ｍを利用して弾性掛合片６ａの膨出部６ｂを押圧操作したときにこの突出部６ｄに突き当たって前記掛合を解く向きの弾性掛合片６ａの弾性変形をロック部材２が妨げるようになっている。（図７）
【００３３】
すなわち、この実施の形態にかかるバックルによれば、第一に、バックル雄具Ｍの差し込み部６をバックル雌具Ｆ内に第一位置まで差し込むことで前記弾性掛合片６ａを被掛合部１ｎに掛合させてバックル雌具Ｆとバックル雄具Ｍとを連結させることができる。また、第二に、この第一位置にあるバックル雄具Ｍを前記第二位置までさらに差し込み操作することで、ロック部材２の保持を解いて付勢手段３の付勢によりロック部材２をロック位置に移動させて、このロック部材２をこの付勢に抗して非ロック位置に移動操作させない限り、前記連結状態を解除できないようにすることができる。
【００３４】
この実施の形態にあっては、前記のように保持が解かれてロック位置に移動されるロック部材２により、バックル雄具Ｍの差し込み部６も第一位置に押し戻され、この第一位置においてこのロック部材２により前記連結状態の解除が阻止されるようになっている。
【００３５】
そして、この実施の形態にあっては、バックル雄具Ｍの差し込み部６が第一位置にあってロック部材２がロック位置にある状態からの操作部材４の操作によるロック部材２の非ロック位置への移動が弾性片１ｃの弾性変形により許容されると共に、ロック部材２が非ロック位置に至ったときに弾性片１ｃが弾性復帰されてこの非ロック位置でのロック部材２の保持がなされるようになっている。具体的には、この実施の形態にあっては、バックル雄具Ｍの差し込み部６が第一位置にあってロック部材２がロック位置にある状態（図７、図８）から、操作部材４を受け入れ開口１ｋから離れる向きに移動操作すると、ロック部材２の箱状部２ａに入り込んでいる弾性片１ｃの凸部１ｅの傾斜面１ｆにこの箱状部２ａの受け入れ開口１ｋ側に向いた前端部２ｂの内側が押し当たって弾性片１ｃは外向きに撓み出され、この撓み込みにより箱状部２ａ内から凸部１ｅが抜け出すと弾性片１ｃは弾性復帰してこの箱状部２ａの前端部２ｂの前方に凸部１ｅを再び位置させ、このように位置される凸部１ｅによりロック部材２は再び非ロック位置に保持されるようになっている。（図４）これにより、この実施の形態にあっては、操作部材４の操作によりロック部材２を非ロック位置に移動させることによりロック部材２をこの非ロック位置に位置づけて、バックル雄具Ｍの弾性掛合片６ａを被掛合部１ｎとの掛合を解く向きに弾性変形操作できる状態を作り出すことができるようになっている。
【００３６】
また、前記表示手段１ｇは、この実施の形態にあっては、バックル雌具Ｆの内外を連通させる窓穴１ｈと、前記ロック部材２の一部とから構成されている。すなわち、この実施の形態にあっては、ロック部材２の一部が前記ロック位置において前記窓穴１ｈを通じて外部より視認できるようになっている。
【００３７】
図示の例では、バックル雌具Ｆの主体部１の表面１’を構成する幅広の壁部１ｉに、前記差し込み中心線ｘに直交する向きに長く続くスロット状の窓穴１ｈが形成されている。この窓穴１ｈは弾性片１ｃの凸部１ｅの直上に位置されており、ロック部材２が非ロック位置にあるときはこの窓穴１ｈを通じてロック部材２の一部、図示の例では箱状部２ａの前端部２ｂは主体部１の表面１’側から見ることができないようになっている。一方、ロック部材２がロック位置にあるときは弾性片１ｃの凸部１ｅは箱状部２ａ内に入り込みこの箱状部２ａの前端部２ｂは窓穴１ｈの直下に位置されることから、この窓穴１ｈを通じて箱状部２ａの前端部２ｂは主体部１の表面１’側から見ることができる。これにより、この実施の形態にあっては、バックル雄具Ｍの差し込み部６が第一位置にあってロック部材２がロック位置にある状態、つまりバックル雄具Ｍとバックル雌具Ｆとが掛合により連結しており、しかも、この掛合をロック部材２を非ロック位置に移動させない限り解除することができない、いわばダブルロック状態にあることを、使用者に明確に認識させることができる。バックル雌具Ｆの主体部１とロック部材２の色彩が異なるようにしておけば、ロック部材２がロック位置にある状態を、使用者に一層明確に認識させることができる。
【００３８】
なお、以上に説明したバックル雄具Ｍおよびバックル雌具Ｆにおける弾性変形特性を備えさせるべき箇所へのこの特性の付与は、典型的には、かかるバックル雄具Ｍおよびバックル雌具Ｆを合成樹脂材料の成形品とすることで容易になすことができる。
【符号の説明】
【００３９】
Ｍ  バックル雄具
Ｆ  バックル雌具
１ｂ  保持手段
１ｎ  被掛合部
２  ロック部材
３  付勢手段
６  差し込み部
６ａ  弾性掛合片
【図１】
2010273942.tif 000003
【図２】
2010273942.tif 000004
【図３】
2010273942.tif 000005
【図４】
2010273942.tif 000006
【図５】
2010273942.tif 000007
【図６】
2010273942.tif 000008
【図７】
2010273942.tif 000009
【図８】
2010273942.tif 000010